(57)【要約】【目的】  本発明の目的は、第１、第２スロットが完全に仕切られた相手方コネクタに対応することができ、部品点数、組み立て工数の低減及びシェル間の電気接続の容易化を図ることができるシールドケース及びコネクタを提供する。【構成】  シールドケース５００は、導電性を有するシェル５００ａと、導電性を有しており且つ第１シェル５００ａと共に本体部１１０の外周を覆うことが可能なシェル５００ｂと、導電性を有し且つ第１接続部１２０ａを覆うことが可能なシェル５００ｃと、導電性を有し且つ第２接続部１２０ｂを覆うことが可能なシェル５００ｄとを備えている。シェル５００ｃはシェル５００ａ、５００ｂに接触している。シェル５００ｄはシェル５００ｂに接触している。シェル５００ｄはシェル５００ａに一体的に設けられ、シェル５００ｃに第１方向Ｘで隣接している。【選択図】      図３
2011233326.tif 000002
【特許請求の範囲】
【請求項１】
本体部及びこの本体部に突設され、第１方向に隣接する第１、第２接続部を有するボディを覆うことが可能なシールドケースにおいて、
導電性を有する第１シェルと、
導電性を有しており且つ前記第１シェルと共に前記本体部の外周を覆うことが可能な第２シェルと、
導電性を有し且つ前記第１接続部を覆うことが可能な第３シェルと、
導電性を有し且つ前記第２接続部を覆うことが可能な第４シェルとを備えており、
前記第３シェルは前記第１及び第２シェルの少なくとも一方に接触しており、
前記第１又は第４シェルは前記第２シェルに接触しており、
前記第４シェルが前記第１シェルに一体的に設けられ、前記第３シェルに第１方向で隣接しているシールドケース。
【請求項２】
本体部及びこの本体部に突設され、第１方向に隣接する第１、第２接続部を有するボディを覆うことが可能なシールドケースにおいて、
導電性を有する第１シェルと、
導電性を有しており且つ前記第１シェルと共に前記本体部の外周を覆うことが可能な第２シェルと、
導電性を有し且つ前記第１接続部を覆うことが可能な第３シェルと、
導電性を有し且つ前記第２接続部を覆うことが可能な第４シェルとを備えており、
前記第３シェルは前記第１及び第２シェルに接触しており、
前記第４シェルが前記第１シェルに一体的に設けられ、前記第３シェルに第１方向で隣接しているシールドケース。
【請求項３】
請求項１記載のシールドケースにおいて、
前記第１、第２シェルは、第１方向の第１、第２端と、第１方向に直交する第２方向の第１、第２端を有するベース部を有しており、
前記第３シェルは、前記第１接続部を覆うことが可能な筒状のシェル本体と、
前記シェル本体に設けられ、前記第１及び第２シェルの少なくとも一方のベース部の第２方向の第１端に接触する接触部とを有しており、
前記第４シェルは、前記第２接続部を覆うことが可能なシェル本体と、
前記シェル本体と前記第１シェルのベース部の第２方向の第１端とを結合する結合部とを有するシールドケース。
【請求項４】
前記ボディの本体部が第１、第２方向に直交する第３方向の第１面とその反対側の第２面とを有する場合の請求項３記載のシールドケースにおいて、
前記第１及び第２シェルの少なくとも一方のベース部には、第１方向の第１、第２端に第１、第２側壁が立設されており、
前記第１シェルのベース部は、前記本体部の第１面に当接可能になっており、
前記第２シェルのベース部は、前記本体部の第２面に当接可能になっているシールドケース。
【請求項５】
請求項３又は４記載のシールドケースにおいて、
前記第４シェルは、前記シェル本体に設けられ、前記第２シェルの第２方向の第１端に接触する接触部を更に有するシールドケース。
【請求項６】
請求項１又は２記載のシールドケースにおいて、
前記第４シェルの第１方向の一方側に配置された第１係止片と、
前記第４シェルの第１方向の他方側に配置された第２係止片とを更に備えているシールドケース。
【請求項７】
請求項６記載のシールドケースにおいて、
前記第１、第２係止片が前記第１又は第２シェルに一体的に設けられているシールドケース。
【請求項８】
請求項６記載のシールドケースにおいて、
前記第１又は第２シェルと前記第１係止片との間を繋ぐ第１リリースレバーと、
前記第１又は第２シェルと前記第２係止片との間を繋ぐ第２リリースレバーとを更に備えており、
前記第１又は第２シェルは、第１方向の第１、第２端と、第１方向に直交する第２方向の第１、第２端と、第１方向の第１、第２端に設けられた第１、第２側壁とを有しており、
前記第１、第２リリースレバーが、前記第１、第２側壁に間隙を有して配置されており且つ該第１、第２側壁に向けて変位可能になっているシールドケース。
【請求項９】
請求項８記載のシールドケースにおいて、
前記第２リリースレバーは、第２方向の前記第２端に一体的に設けられ且つ第２方向の前記第１端側に折り返された第２折り返し部と、
前記第２折り返し部に一体的に設けられており且つ前記第２側壁に間隙を有して配置された第２アーム部とを有しており、
前記第２アーム部は第２方向の第１、第２端を有しており、
前記第１リリースレバーは、第２方向の前記第２端に一体的に設けられ且つ第２方向の前記第１端側に折り返された第１折り返し部と、
前記第１折り返し部に一体的に設けられており且つ前記第１側壁に間隙を有して配置された第１アーム部と、
前記第１アーム部から前記第３、第４シェルの間の空間に延出したブリッジとを有しており、
前記ブリッジは前記第１アーム部に一体的に設けられた第１端と、前記空間に配置される第２端とを有しており、
前記第２係止片は第２アーム部の第１端に、第１の係止片は前記ブリッジの第２端に一体的に設けられているシールドケース。
【請求項１０】
前記ボディに前記第３、第４シェルの間の空間に通じるスリットが設けられている場合の請求項９記載のシールドケースにおいて、
前記ブリッジの第２端は、前記第３、第４シェルの間の空間ではなく、前記スリット内に配置されているシールドケース。
【請求項１１】
前記ボディに係止凸部が設けられている場合の請求項１乃至１０の何れかに記載のシールドケースにおいて、
前記第１、第２、第３及び第４シェルの少なくとも一つには、前記係止凸部を係止可能な切欠き又は係止孔が設けられているシールドケース。
【請求項１２】
前記ボディに係止穴が設けられている場合の請求項１乃至１０の何れかに記載のシールドケースにおいて、
前記第１、第２、第３及び第４シェルの少なくとも一つには、前記係止穴に係止される係止凸部が設けられているシールドケース。
【請求項１３】
請求項６記載のシールドケースにおいて、
前記第４シェルの第１方向の第１、第２端部が開放され、
前記第１、第２係止片が前記ボディの第２接続部の第１方向の第１、第２端部に対向可能になっているシールドケース。
【請求項１４】
本体部及びこの本体部に突設され、第１方向に隣接する第１、第２接続部を有するボディと、
前記第１、第２接続部に配列された複数の第１、第２コンタクトと、
請求項１乃至７の何れかに記載のシールドケースとを備えているコネクタ。
【請求項１５】
プラグコネクタである場合の請求項１４記載のコネクタにおいて、
前記ボディの本体部に設けられ、前記第１、第２コンタクトが接続された基板と、
前記基板に接続されたケーブルと、
絶縁性を有しており且つ互いに組み合わされ、前記第１、第２シェルを覆う第１、第２ケースとを更に備えており、
前記シールドケースの第１、第２シェルが、前記ボディの本体部と共に、前記基板の外周及びケーブルの基板接続部分を覆うコネクタ。
【請求項１６】
本体部及びこの本体部に突設され、第１方向に隣接する第１、第２接続部を有するボディと、
前記第１、第２接続部に配列された複数の第１、第２コンタクトと、
請求項８又は９記載のシールドケースとを備えているコネクタ。
【請求項１７】
プラグコネクタである場合の請求項１６記載のコネクタにおいて、
前記ボディの本体部に設けられ、前記第１、第２コンタクトが接続された基板と、
前記基板に接続されたケーブルと、
絶縁性を有しており且つ互いに組み合わされ、前記第１、第２シェルを覆う第１、第２ケースとを更に備えており、
前記シールドケースの第１、第２シェルは、前記ボディの本体部と共に、前記基板の外周及びケーブルの基板接続部分を覆っており、
前記第１又は第２ケースが、前記第１、第２リリースレバーを前記第１又は第２シェルの第１、第２側壁に向けて変位させる第１、第２操作ボタンを有しているコネクタ。
【発明の詳細な説明】
【技術分野】
【０００１】
本発明は、隣り合う２つの接続部を有するコネクタに関し、特に同コネクタのシールドケースする。
【背景技術】
【０００２】
従来のプラグコネクタとしては、本体部及び第１、第２接続部を有するボディと、前記本体部の外周を覆う第１、第２金属シェルと、前記第１、第２接続部の外周を覆う筒状の第３金属シェルとを備えているものがある（特許文献１の段落００２１及び図５参照）。一方、前記プラグコネクタが接続可能なレセプタクルとしては、筒状の金属シェルを備えており、金属シェルの内部空間が、該金属シェルの底板部の中央部を天板部に向けて湾曲させた湾曲部により第１、第２スロットとして仕切られたものがある。このレセプタクルの第１、第２スロットに、前記プラグコネクタの第１、第２接続部が嵌合するようになっている。前記レセプタクルコネクタの金属シェルの湾曲部と天板部との間には隙間が設けられ、第１、第２スロットが部分的に連通しているため、前記プラグコネクタの第３金属シェルは、底板部の中央部分を天板部に接触するように折り曲げ、前記湾曲部との干渉を避けている。
【０００３】
ところで、前記レセプタクルコネクタには、金属シェルの湾曲部が天板部に接触しており、湾曲部と天板部との間に隙間が形成されていないものがある。換言すると、前記レセプタクルコネクタには、第１、第２スロットが湾曲部により完全に仕切られているものがある。このようなレセプタクルコネクタに前記プラグコネクタを対応させる場合、前記３金属シェルの代わりに、第１、第２接続部の周囲を覆う筒状の第４、第５金属シェルを用いることにより、湾曲部との干渉を解消することができる。
【先行技術文献】
【特許文献】
【０００４】
【特許文献１】特開２００９−２７７４９７号公報
【発明の概要】
【発明が解決しようとする課題】
【０００５】
しかしながら、前記プラグコネクタが第１、第２、第４、第５金属シェルを備えた構成であると、部品点数が増加し、組み立て工数が増加する。これがプラグコネクタのコストアップの要因となっていた。また、前記プラグコネクタのＥＭＩ（Electro Magnetic Interference）対策として第１、第２、第４、第５金属シェルを互いに電気的に接続する必要がある。４つの金属シェルを電気接続させる作業は、面倒であるため、この点でもプラグコネクタのコストアップの要因となっていた。
【０００６】
本発明は、上記事情に鑑みて創案されたものであって、その目的とするところは、第１、第２スロットが完全に仕切られた相手方コネクタに対応することができ、部品点数、組み立て工数の低減及びシェル間の電気接続の容易化を図ることができるシールドケース及びコネクタを提供することにある。
【課題を解決するための手段】
【０００７】
上記課題を解決するために、本発明のシールドケースは、本体部及びこの本体部に突設され、第１方向に隣接する第１、第２接続部を有するボディを覆うことが可能なシールドケースである。このシールドケースは、導電性を有する第１シェルと、導電性を有しており且つ前記第１シェルと共に前記本体部の外周を覆うことが可能な第２シェルと、導電性を有し且つ前記第１接続部を覆うことが可能な第３シェルと、導電性を有し且つ前記第２接続部を覆うことが可能な第４シェルとを備えている。前記第３シェルは前記第１及び第２シェルの少なくとも一方に接触している。前記第１又は第４シェルは前記第２シェルに接触している。前記第４シェルは前記第１シェルに一体的に設けられ、前記第３シェルに第１方向で隣接している。なお、前記第３シェルが前記第１及び第２シェルの双方に接触する場合には、前記第１又は第４シェルは前記第２シェルに接触していなくても良い。
【０００８】
このようなシールドケースによる場合、第４シェルが第１シェルに一体的に設けられているので、従来例に比べて部品点数を低減することができ、その結果、本シールドケースを備えたコネクタの組み立て工数を低減することができる。また、第４シェルが第１シェルに一体化されているので、前記第１又は第４シェルを前記第２シェルに接触させ、且つ第３シェルを第１及び第２シェルの少なくとも一方に接触させる、或いは、第３シェルを第１及び第２シェルの双方に接触させるだけで、第１、第２、第３、第４シェルを電気接続することができる。よって、４つのシェルを互いに接触させなければならない従来例に比べて、シェル間の電気接続の容易化を図ることができる。また、第１接続部を覆うことが可能な第３シェルと、第２接続部を覆うことが可能な第４シェルとが個別に独立しているため、本シールドケースを備えたコネクタを第１、第２スロットが完全に仕切られた相手方コネクタにも対応させることができる。更に、第４シェルが第１シェルに一体化されているので、第４シェルのこじり強度を向上させることができる。
【０００９】
前記第１、第２シェルは、第１方向の第１、第２端と、第１方向に直交する第２方向の第１、第２端を有するベース部を有した構成とすることができる。前記第３シェルは、前記第１接続部を覆うことが可能な筒状のシェル本体と、前記シェル本体に設けられ、前記第１及び第２シェルの少なくとも一方のベース部の第２方向の第１端に接触する接触部とを有している。前記第４シェルは、前記第２接続部を覆うことが可能なシェル本体と、前記シェル本体と前記第１シェルのベース部の第２方向の第１端とを結合する結合部とを有している。この場合、第３シェルのシェル本体で第１接続部を覆い、接触部を第１及び第２シェルの少なくとも一方の第１端に接触させるだけで、第３シェルを第１及び第２シェルの少なくとも一方に電気接続することができる。よって、シェル間の電気接続の容易化を図ることもできる。
【００１０】
前記ボディの本体部が第１、第２方向に直交する第３方向の第１面とその反対側の第２面とを有する場合、前記第１及び第２シェルの少なくとも一方のベース部には、第１方向の第１、第２端に第１、第２側壁が立設されている。前記第１シェルのベース部は、前記本体部の第１面に当接可能になっている。前記第２シェルのベース部は、前記本体部の第２面に当接可能になっている。この場合、第１、第２シェルのベース部をボディの本体部の第１、第２面に当接させるだけで、第１、第２シェルにより前記ボディの本体部の外周を覆うことができるので、本シールドケースを備えたコネクタの組み立ての容易化を図ることができる。
【００１１】
前記第４シェルは、前記シェル本体に設けられ、前記第２シェルの第１端に接触する接触部を更に有する構成とすることができる。この場合、第４シェルの接触部を第２シェルの第２方向の第１端に接触させるだけで、第１、第４シェルと第２シェルとを簡単に電気的に接続することができる。よって、シェル間の電気接続の容易化を図ることもできる。
【００１２】
前記シールドケースは、前記第４シェルの第１方向の一方側に配置された第１係止片と、前記第４シェルの第１方向の他方側に配置された第２係止片とを更に備えた構成とすることができる。この場合、第１、第２係止片が相手方コネクタに係止されることにより、第１、第２接続部及び第３、第４シェルが相手方コネクタの第１、第２スロットに嵌合した状態を維持することが可能になる。
【００１３】
前記第１、第２係止片は、前記第１又は第２シェルに一体的に設けられていることが好ましい。この場合、第１、第２係止片が第１又は第２シェルに一体化されているので、前記シールドケースが第１、第２係止片を更に備えた場合であっても、部品点数の増加を抑制することができ、且つ、本シールドケースを備えたコネクタの組み立て工数の増加も抑制することができる。
【００１４】
前記シールドケースは、前記第１又は第２シェルと前記第１係止片との間を繋ぐ第１リリースレバーと、前記第１又は第２シェルと前記第２係止片との間を繋ぐ第２リリースレバーとを更に備えた構成とすることができる。前記第１又は第２シェルは、第１方向の第１、第２端と、第１方向に直交する第２方向の第１、第２端と、第１方向の第１、第２端に設けられた第１、第２側壁とを有している。前記第１、第２リリースレバーが、前記第１、第２側壁に間隙を有して配置されており且つ該第１、第２側壁に向けて変位可能になっている。この場合、第１、第２リリースレバーを第１又は第２シェルの第１、第２側壁に向けて変位させるだけで、第１、第２係止片と相手方コネクタとの係止を解除することが可能になる。
【００１５】
前記第２リリースレバーは、第２方向の前記第２端に一体的に設けられ且つ第２方向の前記第１端側に折り返された第２折り返し部と、前記第２折り返し部に一体的に設けられており且つ前記第２側壁に間隙を有して配置された第２アーム部とを有した構成とすることができる。前記第２アーム部は第２方向の第１、第２端を有している。前記第１リリースレバーは、第２方向の前記第２端に一体的に設けられ且つ第２方向の前記第１端側に折り返された第１折り返し部と、前記第１折り返し部に一体的に設けられており且つ前記第１側壁に間隙を有して配置された第１アーム部と、前記第１アーム部から前記第３、第４シェルの間の空間に延出したブリッジとを有した構成とすることができる。前記ブリッジは前記第１アーム部に一体的に設けられた第１端と、前記空間に配置される第２端とを有している。前記第２係止片は第２アーム部の第１端に、第１の係止片は前記ブリッジの第２端に一体的に設けられている。
【００１６】
この場合、第２リリースレバーが、第１又は第２シェルの第２方向の第２端に一体的に設けられ、第２係止片が第２リリースレバーの第２アーム部の第１端に一体的に設けられている。また、第１リリースレバーが、第１又は第２シェルの第２方向の第２端に一体的に設けられ、第１係止片が第１リリースレバーのブリッジの第２方向の第２端に一体的に設けられている。このため、前記シールドケースが第１、第２リリースレバーを更に備えた場合であっても、部品点数の増加を抑制することができ、且つ、本シールドケースを備えたコネクタの組み立て工数の増加も抑制することができる。
【００１７】
前記ボディに前記第３、第４シェルの間の空間に通じるスリットが設けられている場合、前記ブリッジの第２端は、前記第３、第４シェルの間の空間ではなく、前記スリット内に配置されている。
【００１８】
前記ボディに係止凸部が設けられている場合、前記第１、第２、第３及び第４シェルの少なくとも一つには、前記係止凸部を係止可能な切欠き又は係止孔が設けられている。前記ボディに係止穴が設けられている場合、前記第１、第２、第３及び第４シェルの少なくとも一つには、前記係止穴に係止される係止凸部が設けられている。この場合、係止凸部が係止穴部に係止されることにより、第１、第２、第３及び第４シェルの少なくとも一つがボディに係止されるので、前記一つのシェルのボディに対する位置決め固定が容易になる。
【００１９】
前記第４シェルの第１方向の第１、第２端部が開放されている場合、前記第１、第２係止片が前記ボディの第２接続部の第１方向の第１、第２端部に対向可能になっている。この場合、前記第１、第２係止片が前記ボディの第２接続部の第１方向の第１、第２端部に対向することにより、該第１、第２端部を覆い、シールドする役割を果たす。
【００２０】
本発明の第１コネクタは、本体部及びこの本体部に突設され、第１方向に隣接する第１、第２接続部を有するボディと、前記第１、第２接続部内に配列された複数の第１、第２コンタクトと、上記シールドケースとを備えた構成となっている。
【００２１】
前記第１コネクタがプラグコネクタである場合、前記ボディの本体部に設けられ、前記第１、第２コンタクトが接続された基板と、前記基板に接続されたケーブルと、絶縁性を有しており且つ互いに組み合わされ、前記第１、第２シェルを覆う第１、第２ケースとを更に備えた構成とすることができる。前記シールドケースの第１、第２シェルが、前記ボディの本体部と共に、前記基板の外周及びケーブルの基板接続部分を覆っている。
【００２２】
本発明の第２コネクタは、本体部及びこの本体部に突設され、第１方向に隣接する第１、第２接続部を有するボディと、前記第１、第２接続部に配列された複数の第１、第２コンタクトと、上記第１、第２リリースレバーを有するシールドケースとを備えた構成となっている。
【００２３】
前記第２コネクタがプラグコネクタである場合、前記第２コネクタは、前記ボディの本体部に設けられ、前記第１、第２コンタクトが接続された基板と、前記基板に接続されたケーブルと、絶縁性を有しており且つ互いに組み合わされ、前記第１、第２シェルを覆う第１、第２ケースとを更に備えた構成となっている。前記シールドケースの第１、第２シェルは、前記ボディの本体部と共に、前記基板の外周及びケーブルの基板接続部分を覆っている。前記第１又は第２ケースは、前記第１、第２リリースレバーを前記第１又は第２シェルの第１、第２側壁に向けて変位させる第１、第２操作ボタンを有している。
【図面の簡単な説明】
【００２４】
【図１】（ａ）は本発明の実施の形態に係るコネクタの正面平面右側面側から表した概略的斜視図、（ｂ）は前記コネクタの概略的正面図、（ｃ）は前記コネクタの第２樹脂ケース取り外した状態の概略的平面図である。
【図２】前記コネクタのボディに基板、第１、第２コンタクト、第１、第２、第３、第４シェルを取り付けた状態を示す概略図であって、（ａ）は平面図、（ｂ）は底面図、（ｃ）が背面図である。
【図３】前記コネクタのボディに基板、第１、第２コンタクト、第１、第２、第３、第４シェルを取り付けた状態を示す概略図であって、（ａ）は正面平面右側面側から表した斜視図、（ｂ）は正面平面左側面側から表した斜視図、（ｃ）は背面底面右側面側から表した斜視図である。
【図４】前記コネクタのボディに第１、第２コンタクト及び基板を取り付けた状態を示す概略図であって、（ａ）は正面平面右側面側から表した斜視図、（ｂ）は背面平面左側面側から表した斜視図、（ｃ）は背面底面右側面側から表した斜視図である。
【図５】（ａ）前記コネクタの第１及び第４シェルの正面平面右側面側から表した概略的斜視図、（ｂ）は第１及び第４シェルの背面平面左側面側から表した概略的斜視図である。
【図６】（ａ）前記コネクタの第２シェルの正面平面右側面側から表した概略的斜視図、（ｂ）は第２シェルの背面平面左側面側から表した概略的斜視図である。
【図７】（ａ）前記コネクタの第３シェルの正面平面右側面側から表した概略的斜視図、（ｂ）は第３シェルの背面平面左側面側から表した概略的斜視図である。
【図８】（ａ）前記コネクタの第１樹脂ケースの背面平面左側面側から表した概略的斜視図、（ｂ）は前記コネクタの第２樹脂ケースの正面底面左側面側から表した概略的斜視図である。
【図９】前記コネクタが接続可能なレセプタクルコネクタの概略的正面図である。
【発明を実施するための形態】
【００２５】
以下、本発明の実施の形態に係るプラグコネクタについて図１乃至図９を参照しつつ説明する。図１乃至図３に示すプラグコネクタ（以下、プラグＰ）は、図９に示すレセプタクルコネクタ（以下、レセプタクルＲ）に接続可能なコネクタである。なお、図２乃至図８中におけるＸが第１方向、Ｙが第１方向に直交する第２方向、Ｚが第１、第２方向に直交する第３方向である。
【００２６】
レセプタクルＲは、図９に示すように、ボディ１０と、複数のコンタクト２０ａ、２０ｂと、シェル３０とを備えている。シェル３０はボディ１０を覆う導電性を有する金属製の筒であって、底板部の中央が天板部に向けて略Ｕ字状に湾曲している。この湾曲部３１がシェル３０の天板部に接触している。すなわち、湾曲部３１によりシェル３０の内部空間が第１、第２スロットα、βに完全に仕切られている。ボディ１０の前面には第１、第２接続凸部１０ａ、１０ｂが突設され、第１、第２スロットα、βに挿入されている。第１、第２接続凸部１０ａ、１０ｂの上下面には、コンタクト２０ａ、２０ｂが配列されている。第１スロットα、第１接続凸部１０ａ及びコンタクト２０ａはＨＤＭＩ（High Definition Multimedia Interface；登録商標）のタイプＤ規格に対応した構成となっている。第２スロットβ、第２接続凸部１０ｂ及びコンタクト２０ｂの配列はＨＤＭＩ以外の規格に対応した構成となっている。第２スロットβの幅方向の両内壁部には、図示しない第１、第２係止穴が設けられている。
【００２７】
プラグＰは、ボディ１００と、複数の第１、第２コンタクト２００ａ、２００ｂと、基板３００と、第１、第２ケーブル４００ａ、４００ｂと、シールドケース５００と、第１、第２樹脂ケース６００ａ、６００ｂとを備えている。以下、各部について詳しく説明する。
【００２８】
ボディ１００は、図４に示すように絶縁樹脂製の射出成形品である。このボディ１００は、本体部１１０と、第１、第２接続部１２０ａ、１２０ｂとを有している。本体部１１０は、略矩形状の板体であって、前面に第１、第２接続部１２０ａ、１２０ｂが第１方向Ｘに隣接するように突設されている。本体部１１０の第１、第２接続部１２０ａ、１２０ｂとの間の部分にスリット１１１が設けられている。このスリット１１１により、本体部１１０が、第１、第２プレート部１１０ａ、１１０ｂに二分されている。
【００２９】
第１、第２プレート部１１０ａ、１１０ｂ（すなわち、本体部１１０）の後面には、図２（ｃ）、図４（ｂ）及び図４（ｃ）に示すように、略矩形状の凹部１１２ａ、１１２ｂが設けられている。この凹部１１２ａ、１１２ｂの底面の中央部には、基板３００の第２方向Ｙの第１端部が嵌合する矩形状の基板嵌合穴１１３ａ、１１３ｂが設けられている。更に、第１、第２プレート部１１０ａ、１１０ｂの後面の第１方向Ｘの両端部には、第２方向Ｙに延びた一対のガイド板１１４ａ、１１４ｂが設けられている。ガイド板１１４ａ、１１４ｂの内面には、一対のガイド凹部１１５ａ、１１５ｂが設けられている。このガイド凹部１１５ａ、１１５ｂは、第２方向Ｙに延びており且つ基板３００の第１方向Ｘの第１、第２端部を基板嵌合穴１１３ａ、１１３ｂに向けて案内するようになっている。また、ガイド板１１４ａ、１１４ｂの外面には、一対の係止凸部１１６ａ、１１６ｂが設けられている。係止凸部１１６ａ、１１６ｂの上端部は、厚みが上方に向けて暫時低減するテーパ形状となっている。
【００３０】
基板３００はボディ１００に取り付けられた周知のプリント基板である。この基板３００は、第１方向Ｘの前記第１、第２端部と、第２方向Ｙの第１、第２端部を有している。基板３００の第２方向Ｙの第１端部には、スリット１１１に対応する位置にスリット３１０が設けられている。スリット３１０はスリット１１１に連通している。基板３００の第２方向Ｙの第１端部の上下面のスリット３１０の両側には、図４（ｂ）及び図４（ｃ）に示すように複数の電極３２０ａ、３２０ｂが配設されている。基板３００の第２方向Ｙの第２端部の上下面には、複数の電極３３０ａ、３３０ｂが配設されている。電極３２０ａ、３２０ｂと電極３３０ａ、３３０ｂとは、基板３００の上下面又は内部の図示しない導電ラインにより接続されている。電極３３０ａ、３３０ｂには、第１、第２ケーブル４００ａ、４００ｂの複数の信号線の芯線が各々半田接続されている。第１、第２ケーブル４００ａ、４００ｂは、複数の信号線を外側シールド導体で覆い、該外側シールド導体を塩化ビニール等の外部絶縁体で覆った周知のケーブルである。信号線は、芯線を内側シールド導体で覆い、該内側シールド導体を内部絶縁体で覆った構成となっている。この第１、第２ケーブル４００ａ、４００ｂは、図１（ｃ）に示すように、クランプ７００に取り付けられている。クランプ７００には一対のフランジ７１０が設けられている。なお、図１（ｃ）において、第１、第２ケーブル４００ａ、４００ｂの外部絶縁体から露出した信号線の先端部を図示省略している。以下、第１、第２ケーブル４００ａ、４００ｂの外部絶縁体から露出し、芯線が電極３３０ａ、３３０ｂに半田接続された信号線の先端部を基板接続部分と称する。
【００３１】
また、第１プレート部１１０ａの上下面には、図４（ａ）乃至図４（ｃ）に示すように一対の取付凹部１１７ａが設けられている。この取付凹部１１７ａの底面には一対の係止凸部１１８ａが設けられている。第２プレート部１１０ｂの上面には、図４（ａ）及び図４（ｂ）に示すように直方体状の係止凸部１１７ｂとその両側に一対の矩形状の位置決め穴１１８ｂが設けられている。第２プレート部１１０ｂの下面には図４（ｃ）に示すように係止凸部１１９ｂが設けられている。係止凸部１１８ａ及び係止凸部１１９ｂの前端部は、厚みが前方に向けて暫時低減するテーパ形状となっている。更に、本体部１１０の下面の取付凹部１１７ａと係止凸部１１９ｂとの間には、矩形状の位置決め穴１１９が設けられている。
【００３２】
本体部１１０及び第１接続部１２０ａには、図４（ａ）に示すように、第１接続孔１２１ａが設けられている。第１接続孔１２１ａは、第１接続部１２０ａの前面から基板嵌合穴１１３ａの底面にかけて貫通している。この第１接続孔１２１ａの内形は、レセプタクルＲの第１接続凸部１０ａの外形に対応した形状となっている。第１接続孔１２１ａの上下面には、図２（ｃ）及び図４（ａ）に示すように、コンタクト２００ａが挿入された複数の挿入溝１２２ａが設けられている。挿入溝１２２ａはレセプタクルＲのコンタクト２０ａの配列に対応している。挿入溝１２２ａの後端は凹部１１２ａの底面から外部に開放されている。コンタクト２００ａの後端部は、図４（ｂ）及び図４（ｃ）に示すように、挿入溝１２２ａの後端から突出し、基板３００の電極３２０ａに半田接続されている。コンタクト２００ａの先端部は湾曲しており、その頂部が第１接続孔１２１ａ内に入り込んでいる。すなわち、第１接続孔１２１ａにレセプタクルＲの第１接続凸部１０ａが挿入され、コンタクト２００ａの頂部がレセプタクルＲのコンタクト２０ａに接触するようになっている。このように第１接続部１２０ａ、第１接続孔１２１ａ、挿入溝１２２ａ及びコンタクト２００ａは、ＨＤＭＩのタイプＤ規格に対応した構成となっている。
【００３３】
本体部１１０及び第２接続部１２０ｂには、図４（ａ）に示すように、第２接続孔１２１ｂが設けられている。第２接続孔１２１ｂは、第２接続部１２０ｂの前面から基板嵌合穴１１３ｂの底面にかけて貫通している。この第２接続孔１２１ｂの内形は、レセプタクルＲの第２接続凸部１０ｂの外形に対応した形状となっている。第２接続孔１２１ｂの上下面には、図２（ｃ）及び図４（ａ）に示すように、コンタクト２００ｂが挿入された複数の挿入溝１２２ｂが設けられている。挿入溝１２２ｂはレセプタクルＲのコンタクト２０ｂの配列に対応している。挿入溝１２２ｂの後端は凹部１１２ｂの底面から外部に開放されている。コンタクト２００ｂの後端部は、図４（ｂ）及び図４（ｃ）に示すように、挿入溝１２２ｂの後端から突出し、基板３００の電極３２０ｂに半田接続されている。コンタクト２００ｂの先端部は、図４（ａ）に示すように湾曲しており、その頂部が第２接続孔１２１ｂ内に入り込んでいる。すなわち、第２接続孔１２１ｂにレセプタクルＲの第２接続凸部１０ｂが挿入され、コンタクト２００ｂの頂部がレセプタクルＲのコンタクト２０ｂに接触するようになっている。このように第２接続部１２０ｂ、第２接続孔１２１ｂ、挿入溝１２２ｂ及びコンタクト２００ｂは、ＨＤＭＩ以外の規格に対応した構成となっている。
【００３４】
シールドケース５００は、図２（ｃ）に示すように、ボディ１００、基板３００及び第１、第２ケーブル４００ａ、４００ｂの基板接続部分を覆っている。このシールドケース５００は、図２及び図３に示すように、シェル５００ａ（第１シェル）と、シェル５００ｂ（第２シェル）と、シェル５００ｃ（第３シェル）と、シェル５００ｄ（第４シェル）と、リリースレバー５００ｅ、５００ｆ（第１、第２リリースレバー）と、ラッチ片５００ｇ、５００ｈ（第１、第２係止片）とを有している。
【００３５】
シェル５００ａ及びシェル５００ｄは、図５に示すように、導電性を有する一枚の金属板で構成されている。シェル５００ａは、第１方向Ｘの第１、第２端と、第２方向Ｙの第１、第２端部５１１ａ、５１２ａとを有する矩形状のベース板５１０ａ（ベース部）と、このベース板５１０ａの第１方向Ｘの第１、第２端に立設された矩形状の側壁板５２０ａ、５３０ａ（第１、第２側壁）とを有している。側壁板５２０ａ、５３０ａはボディ１００の本体部１１０の第１方向Ｘの両側面の下端部に当接している。ベース板５１０ａはボディ１００の本体部１１０の下面（すなわち、本体部１１０の第３方向Ｚの第１面）に当接している。ベース板５１０ａ及び側壁板５２０ａ、５３０ａの第２方向Ｙの長さ寸法は、本体部１１０の前面から、本体部１１０に取り付けられた基板３００の第２方向Ｙの第２端部までの長さ寸法より大きくなっている。ベース板５１０ａ及び側壁板５２０ａ、５３０ａが本体部１１０、基板３００及びケーブル４００の基板接続部分の下側部分を覆っている。第１端部５１１ａには、図５（ｂ）に示すように、本体部１１０の位置決め穴１１９に対応する位置に該位置決め穴１１９と同形状の位置決め孔５１３ａが、本体部１１０の係止凸部１１９ｂの対応する位置に係止孔５１４ａが設けられている。係止孔５１４ａが係止凸部１１９ｂに係止されている。また、ベース板５１０ａの第１、第２端部５１１ａ、５１２ａの間の中間部にも、略矩形状の位置決め穴５１５ａが設けられている。
【００３６】
シェル５００ｄは、シェル本体５１０ｄと、結合板（結合部）５２０ｄと、接触板（接触部）５３０ｄとを有している。シェル本体５１０ｄは、上板５１１ｄと、下板５１２ｄと、前板５１３ｄとを有している。上板５１１ｄは、図３（ａ）及び図３（ｂ）に示すように、長さ寸法及び幅寸法がボディ１００の第２接続部１２０ｂの上面よりも若干大きい板部であって、該第２接続部１２０ｂの上面に当接し、該上面を覆っている。下板５１２ｄは、長さ寸法がボディ１００の第２接続部１２０ｂの下面よりも若干大きく且つ幅寸法が該下面と略同じ板部であって、該第２接続部１２０ｂの下面に当接し、該下面を覆っている。下板５１２ｄの第１方向Ｘの外側端部には、図５（ｂ）に示すように、第２接続部１２０ｂの外側の傾斜面に沿う傾斜板５１２ｄ１が設けられている。また、前板５１３ｄは、上板５１１ｄと下板５１２ｄの第２方向Ｙの第１端同士を連結する板であって、外形が第２接続部１２０ｂの前面の外形より若干大きい形状となっている。この前板５１３ｄが第２接続部１２０ｂの前面に当接し、該前面を覆っている。前板５１３ｄには、第２接続部１２０ｂの第２接続孔１２１ｂを開放するための開口５１３ｄ１が開設されている。また、上板５１１ｄの第１方向Ｘの第１、第２端と下板５１２ｄの第１方向Ｘの第１、第２端との間（すなわち、シェル本体５１０ｄの第１方向Ｘの第１、第２端部）は開放され、第２接続部１２０ｂの第１方向Ｘの第１、第２端部が露出している。シェル本体５１０ｄ及び第２接続部１２０ｂの外形は、レセプタクルＲの第２スロットβの内形に対応した形状となっている。すなわち、シェル本体５１０ｄ及び第２接続部１２０ｂが第２スロットβに嵌合する部分となっている。
【００３７】
結合板５２０ｄは、図５（ｂ）に示すように、下板５１２ｄの第２方向Ｙの第２端とベース板５１０ａの第１端部５１１ａとの間を繋ぐ矩形状の板部である。この結合板５２０ｄにより、シェル５００ｄがシェル５００ａに一体化されている。接触板５３０ｄは、上板５１１ｄの第２方向Ｙの第２端に連続する下向き略Ｌ字状の板部である。この接触板５３０ｄの上板には、本体部１１０の係止凸部１１７ｂに対応する位置に略矩形状の切欠き５３１ｄが設けられている。係止凸部１１７ｂが切欠き５３１ｄに前方から嵌まり込み係止されるようになっている。接触板５３０ｄの上板の切欠き５３１ｄの両側には、本体部１１０の位置決め穴１１８ｂに対応する位置に該位置決め穴１１８ｂと同形状の一対の位置決め穴５３２ｄが設けられている。位置決め穴５３２ｄは位置決め穴１１８ｂに連通している。
【００３８】
シェル５００ｂ、リリースレバー５００ｅ、５００ｆ及びラッチ片５００ｇ、５００ｈは、図６に示すように、導電性を有する一枚の金属板で構成されている。このシェル５００ｂは、第１方向Ｘの第１、第２端と、第２方向Ｙの第１、第２端部５１１ｂ、５１２ｂとを有する矩形状のベース板５１０ｂ（ベース部）と、このベース板５１０ｂの第１方向Ｘの第１、第２端に立設された矩形状の側壁板５２０ｂ、５３０ｂ（第１、第２側壁）とを有している。側壁板５２０ｂ、５３０ｂはボディ１００の本体部１１０の第１方向Ｘの両側面の上記下端部よりも上側部分に当接している。ベース板５１０ｂはボディ１００の本体部１１０の上面（すなわち、本体部１１０の第３方向Ｚの第２面）に当接している。ベース板５１０ｂ及び側壁板５２０ｂ、５３０ｂの第２方向Ｙの長さ寸法は、本体部１１０の前面から、本体部１１０に取り付けられた基板３００の第２方向Ｙの第２端部までの長さ寸法より大きくなっている。すなわち、ベース板５１０ｂ及び側壁板５２０ｂ、５３０ｂが本体部１１０、基板３００及びケーブル４００の基板接続部分の前記下側部分の残りの上側部分を覆っている。
【００３９】
第１端部５１１ｂの中央部には、本体部１１０のスリット１１１に対応する位置にスリット５１３ｂが設けられている。スリット５１３ｂはスリット１１１に連通している（図３（ａ）参照）。第１端部５１１ｂのスリット５１３ｂの図６の図示左側部分上にシェル５００ｄの接触板５３０ｄの上板が載置されている。すなわち、接触板５３０ｄがベース板５１０ｂの第１端部５１１ｂの前記左側部分に接触している（図２及び図３参照）。これにより、シェル５００ａ、５００ｄとシェル５００ｂとが電気的に接続されている。また、前記左側部分には、本体部１１０の係止凸部１１７ｂに対応する位置に略矩形状の係止孔５１４ｂが設けられている。この係止孔５１４ｂに係止凸部１１７ｂが嵌合し、係止されている。前記左側部分の係止孔５１４ｂの両側には、本体部１１０の位置決め穴１１８ｂに対応する位置に凹状の一対の位置決め穴５１５ｂが設けられている。この位置決め穴５１５ｂは、シェル５００ｄの位置決め穴５３２ｄ及び位置決め穴１１８ｂは連通している。更に、ベース板５１０ｂの中央部には、位置決め孔５１６ｂが設けられている。側壁板５２０ｂ、５３０ｂは、第２方向Ｙの第１、第２端部を有している。側壁板５２０ｂ、５３０ｂの第１端部には、本体部１１０の係止凸部１１６ａ、１１６ｂに対応する位置に矩形状の係止孔５２１ｂ、５３１ｂが設けられている。この係止孔５２１ｂ、５３１ｂに係止凸部１１６ａ、１１６ｂが係止されている。
【００４０】
リリースレバー５００ｅは、折り返し部５１０ｅと、アーム部５２０ｅと、ブリッジ５３０ｅとを有している。折り返し部５１０ｅは、第２方向Ｙの第１、第２端部５１１ｅ、５１２ｅとを有している。第２端部５１２ｅは、ベース板５１０ｂの第２端部５１２ｂに一体的に設けられ且つ第１端部５１１ｂ側に折り返されている。また、第１端部５１１ｅは第２端部５１２ｅから側壁板５２０ｂ側に延びている。この第１端部５１１ｅの端部が側壁板５２０ｂに沿って略直角に折り曲げられている。アーム部５２０ｅは、第２方向Ｙに沿って延びた矩形状の板部であって、側壁板５２０ｂの外側に間隙を有して配置されている。アーム部５２０ｅは第２方向Ｙの第１、第２端部５２１ｅ、５２２ｅを有している。第２端部５２２ｅは折り返し部５１０ｅの第１端部５１１ｅの前記端部に連設され、一体化されている。ブリッジ５３０ｅは、アーム部５２０ｅの第１端部５２１ｅからベース板５１０ｂのスリット５１３ｂ及び本体部１１０のスリット１１１に延出した下向き略Ｕ状の板部である。ブリッジ５３０ｅは、第１方向Ｘの第１、第２端部５３１ａ、５３２ａを有している。第２端部５３２ａは、スリット５１３ｂからスリット１１１内に挿入されている。第１端部５３１ａはアーム部５２０ｅの第１端部５２１ｅに連設され、一体化されている。第１端部５３１ａは、第１端部５２１ｅに対して略直角に折り曲げられている。第１端部５３１ｅ及び第１端部５１１ｅの折り曲げ部が側壁板５２０ｂ側に弾性変形することにより、アーム部５２０ｅが初期位置から側壁板５２０ｂ側に変位可能になっている。ブリッジ５３０ｅは、アーム部５２０ｅの変位に伴って初期位置から同方向に変位するようになっている。なお、アーム部５２０ｅが側壁板５２０ｂに対して略平行な状態が初期位置となっている。
【００４１】
ラッチ片５００ｇは、第２方向Ｙに延びたアーム５１０ｇと、アーム５１０ｇの先端に設けられた爪部５２０ｇとを有している。アーム５１０ｇはブリッジ５３０ｅの第２端部５３２ａに連設され一体化されている。アーム５１０ｇは、第２接続部１２０ｂの第１方向Ｘの第１端部に間隙を有して対向配置されている。このアーム５１０ｇは、第２接続部１２０ｂの第１方向Ｘの第１端部を覆っている。爪部５２０ｇは、レセプタクルＲの第１係止穴に係止可能となっている。アーム５１０ｇ及び爪部５２０ｇが、リリースレバー５００ｅのアーム部５２０ｅ及びブリッジ５３０ｅの変位に伴って、初期位置から第２接続部１２０ｂの前記第１端部側に変位し、爪部５２０ｇとレセプタクルＲの第１係止穴との係止が解除されるようになっている。
【００４２】
リリースレバー５００ｆは、折り返し部５１０ｆと、アーム部５２０ｆとを有している。折り返し部５１０ｆは、側壁板５３０ｂの第２方向Ｙの第２端部に一体的に設けられ、該側壁板５３０ｂの第２方向Ｙの第１端部側に折り返されている。アーム部５２０ｆは、第２方向Ｙに延びた矩形状の板部であって、側壁板５３０ｂの外側に間隙を有して配置されている。アーム部５２０ｆは第２方向Ｙの第１、第２端部５２１ｆ、５２２ｆを有している。第２端部５２２ｆは折り返し部５１０ｆに連設され一体化されている。折り返し部５１０ｆが側壁板５３０ｂ側に弾性変形することにより、アーム部５２０ｆが初期位置から側壁板５３０ｂ側に変位可能になっている。なお、アーム部５２０ｆが側壁板５３０ｂに対して略平行な状態が初期位置となっている。
【００４３】
ラッチ片５００ｈは、第２方向Ｙに延びたアーム５１０ｈと、アーム５１０ｈの先端に設けられた爪部５２０ｈとを有している。アーム５１０ｈはアーム部５２０ｆの第１端部５２１ｆに連設され一体化されている。アーム５１０ｈは、第２接続部１２０ｂの第１方向Ｘの第２端部に間隙を有して対向配置されている。このアーム５１０ｈは、第２接続部１２０ｂの第１方向Ｘの第２端部を覆っている。爪部５２０ｈは、レセプタクルＲの第２係止穴に係止可能となっている。アーム５１０ｈ及び爪部５２０ｈが、リリースレバー５００ｆのアーム部５２０ｆの変位に伴って、初期位置から第２接続部１２０ｂの前記第２端部側に変位し、爪部５２０ｈとレセプタクルＲの第２係止穴との係止が解除されるようになっている。
【００４４】
シェル５００ｃは導電性を有する一枚の金属板で構成されている。このシェル５００ｃは、図７に示すように、シェル本体５１０ｃと、第１、第２接触板５２０ｃ、５３０ｃとを有している。シェル本体５１０ｃは第１接続部１２０ａの外周を覆う筒体である。シェル本体５１０ｃ及び第１接続部１２０ａの外形は、第１スロットαの内形に応じた形状となっている。このシェル本体５１０ｃ及び第１接続部１２０ａが第１スロットαに嵌合する部分となっている。第１接触板５２０ｃは、図７（ｂ）に示すように、シェル本体５１０ｃの下板に連設された略Ｌ字状の板部であり、第２接触板５３０ｃは、図７（ａ）に示すように、シェル本体５１０ｃの上板に連設された略Ｌ字状の板部である。第１、第２接触板５２０ｃ、５３０ｃは、第１板５２１ｃ、５３１ｃと、この第１板５２１ｃ、５３１ｃに対して略直角な第２板５２２ｃ、５３２ｃとを有している。第２板５２２ｃ、５３２ｃは、本体部１１０の上下面の取付凹部１１７ａに各々嵌まり込んでいる。第２板５２２ｃ、５３２ｃには、取付凹部１１７ａの底面の係止凸部１１８ａに対応する位置に矩形状の係止孔５２２ｃ１、５３２ｃ１が設けられている。この係止孔５２２ｃ１、５３２ｃ１に係止凸部１１８ａが各々嵌まり込み係止されている。また、第２板５２２ｃは、図３（ａ）及び図３（ｂ）に示すように、シェル５００ａのベース板５１０ａの第１端部５１１ａに接触している。第２板５３２ｃは、シェル５００ｂのベース板５１０ｂの第１端部５１１ｂのスリット５１３ｂの図示右側部分に接触している。これによりシェル５００ａ乃至シェル５００ｄが電気的に接続されている。
【００４５】
第１樹脂ケース６００ａは、図８（ａ）に示すように、絶縁樹脂製の射出成形品である。この第１樹脂ケース６００ａは、底板部６１０ａと、前壁部６２０ａと、外壁部６３０ａ、６４０ａと、一対の固定部６５０ａと、導出部６６０ａとを有している。底板部６１０ａの第２方向Ｙの第１端部上には、前壁部６２０ａが立設されている。底板部６１０ａの第２方向Ｙの第２端部には、導出部６６０ａが設けられている。底板部６１０ａの第１方向Ｘの第１、第２端部上には、外壁部６３０ａ、６４０ａが設けられている。底板部６１０ａの外壁部６３０ａ、６４０ａの内側には、一対の固定部６５０ａが設けられている。底板部６１０ａ上の前壁部６２０ａ、外壁部６３０ａ、６４０ａ及び固定部６５０ａに囲われた空間が、ボディ１００の本体部１１０、基板３００及びシールドケース５００のシェル５００ａ、５００ｂ、リリースレバー５００ｅ、５００ｆの下側部分を収容する収容空間となっている。底板部６１０ａの中央部には、第１方向Ｘに延びる凸脈が設けられており、該凸脈の中央部に略矩形状の位置決め凸部６１１ａが設けられている。この位置決め凸部６１１ａがシールドケース５００のシェル５００ａの位置決め穴５１５ａに嵌合し、シールドケース５００を前記収容空間で位置決め固定している。また、底板部６１０ａの前壁部６２０ａの近傍にも位置決め凸部６１２ａが設けられている。この位置決め凸部６１２ａがシェル５００ａの位置決め孔５１３ａ及び本体部１１０の位置決め穴１１９に嵌合し、シールドケース５００を前記収容空間で位置決め固定している。
【００４６】
前壁部６２０ａには、第１方向Ｘに隣接する第１、第２凹部６２１ａ、６２２ａが設けられている。外壁部６３０ａ、６４０ａには、図１（ｃ）に示すように、シールドケース５００のリリースレバー５００ｅ、５００ｆのアーム部５２０ｅ、５２０ｆに対向する位置に操作ボタン６３１ａ、６４１ａ（第１、第２操作ボタン）が設けられている。この操作ボタン６３１ａ、６４１ａにアーム部５２０ｅ、５２０ｆが押下されることにより、アーム部５２０ｅ、５２０ｆが内側（すなわち、側壁板５２０ｂ、５３０ｂ側）に変位するようになっている。固定部６５０ａには、スリット６５１ａが設けられている。このスリット６５１ａにクランプ７００のフランジ７１０の下側部分が挿入され、位置固定されている。導出部６６０ａは、２つの略半円弧状の凹部６６１ａ、６６２ａが第１方向Ｘに連設された構成となっている。
【００４７】
第２樹脂ケース６００ｂは、図８（ｂ）に示すように、第１樹脂ケース６００ａと組み合わされる絶縁樹脂製の上側ケースである。この第２樹脂ケース６００ｂは、底板部６１０ｂと、前壁部６２０ｂと、外壁部６３０ｂ、６４０ｂと、一対の固定部６５０ｂと、導出部６６０ｂとを有している。底板部６１０ｂの第２方向Ｙの第１端部上には、前壁部６２０ｂが立設されている。底板部６１０ｂの第２方向Ｙの第２端部には、導出部６６０ｂが設けられている。底板部６１０ｂの第１方向Ｘの第１、第２端部上には、外壁部６３０ｂ、６４０ｂが設けられている。底板部６１０ｂの外壁部６３０ｂ、６４０ｂの内側には、一対の固定部６５０ｂが設けられている。底板部６１０ｂ上の前壁部６２０ｂ、外壁部６３０ｂ、６４０ｂ及び固定部６５０ｂに囲われた空間が、ボディ１００の本体部１１０、基板３００及びシールドケース５００のシェル５００ａ、５００ｂ、リリースレバー５００ｅ、５００ｆの上側部分を収容する収容空間となっている。すなわち、第１、第２樹脂ケース６００ａ、６００ｂにより本体部１１０、基板３００、シェル５００ａ、５００ｂ及びリリースレバー５００ｅ、５００ｆを覆っている。底板部６１０ｂの中央部には、第１方向Ｘに延びる凸脈が設けられており、該凸脈の中央部に略矩形状の位置決め凸部６１１ｂが設けられている。この位置決め凸部６１１ｂがシールドケース５００のシェル５００ｂの位置決め孔５１６ｂに嵌合し、シールドケース５００を前記収容空間で位置決め固定している。また、底板部６１０ａの前壁部６２０ａ近傍には、シールドケース５００の位置決め穴５３２ｄに対応する位置に該位置決め穴５３２ｄに対応する角柱状の一対の位置決め凸部６１２ｂが設けられている。位置決め凸部６１２ｂがシェル５００ｄの一対の位置決め穴５３２ｄ、シェル５００ｂの位置決め穴５１５ｂ及び本体部１１０の位置決め穴１１８ｂに嵌まり込み、シールドケース５００及びボディ１００を前記収容空間で位置決め固定している。
【００４８】
前壁部６２０ｂには、第１方向Ｘに隣接する第１、第２凹部６２１ｂ、６２２ｂが設けられている。第１凹部６２１ｂは、図１（ｂ）に示すように、第１樹脂ケース６００ａの第１凹部６２１ａと組み合わされ、第１接続部１２０ａ及びこれを覆うシェル５００ｃを外部に突出させる開口を構成している。第２凹部６２２ｂは、第１樹脂ケース６００ａの第２凹部６２２ａと組み合わされ、第２接続部１２０ｂ及びこれを覆うシェル５００ｄを外部に突出させる開口を構成している。外壁部６３０ｂ、６４０ｂには、操作ボタン６３１ａ、６４１ａに対応する位置に該操作ボタン６３１ａ、６４１ａが挿入される挿入凹部６３１ｂ、６４１ｂが設けられている。固定部６５０ｂには、スリット６５１ｂが設けられている。このスリット６５１ｂにクランプ７００のフランジ７１０の上側部分が挿入され、位置固定されている。導出部６６０ｂは、２つの略半円弧状の凹部６６１ｂ、６６２ｂが第１方向Ｘに連設された構成となっている。凹部６６１ｂは第１樹脂ケース６００ａの凹部６６１ａと組み合わされ、第１ケーブル４００ａを外部に導出させる導出孔を構成している。同様に凹部６６２ｂは、第１樹脂ケース６００ａの凹部６６２ａと組み合わされ、第２ケーブル４００ｂを外部に導出させる導出孔を構成している。
【００４９】
以下、上述した構成のプラグＰの組み立て手順について説明する。この説明過程で、シールドケース５００のボディ１００に対する取り付け手順も併せて説明する。まず、ボディ１００を用意する。その後、コンタクト２００ａ、２００ｂをボディ１００の挿入溝１２２ａ、１２２ｂに各々後方から挿入する。その後、電極３２０ａ、３２０ｂ、３３０ａ、３３０ｂが形成された基板３００を用意する。その後、基板３００の第１方向Ｘの第１、第２端部をボディ１００のガイド凹部１１５ａ、１１５ｂに挿入する。その後、基板３００の前記第１、第２端部をガイド凹部１１５ａ、１１５ｂに案内させつつ、基板３００を更にボディ１００本体部１１０側に移動させると、基板３００第２方向Ｙの第１端部が本体部１１０の基板嵌合穴１１３ａ、１１３ｂに嵌まり込む。すると、コンタクト２００ａの後端部が基板３００の電極３２０ａに、コンタクト２００ｂの後端部が基板３００の電極３２０ｂに各々接触する。その後、コンタクト２００ａの後端部を基板３００の電極３２０ａに、コンタクト２００ｂの後端部を基板３００の電極３２０ｂに各々半田接続する。その後、複数の信号線の先端部を外部絶縁体から露出させた第１、第２ケーブル４００ａ、４００ｂを用意する。その後、前記信号線の芯線を基板３００の電極３３０ａ、３３０ｂに半田接続する。このようにしてコンタクト２００ａ、２００ｂ、基板３００及び第１、第２ケーブル４００ａ、４００ｂがボディ１００に取り付けられる。
【００５０】
その後、一枚の金属板をプレス成形することにより作成されたシェル５００ｃを用意する。その後、シェル５００ｃのシェル本体５１０ｃにボディ１００の第１接続部１２０ａを挿入する。その後、シェル５００ｃの第１、第２接触板５２０ｃ、５３０ｃの第２板５２２ｃ、５３２ｃを、ボディ１００の本体部１１０の上下の取付凹部１１７ａに各々嵌合させると共に、第２板５２２ｃ、５３２ｃの係止孔５２２ｃ１、５３２ｃ１に取付凹部１１７ａの底面上の係止凸部１１８ａを各々嵌合させ、係止させる。これにより、シェル５００ｃがボディ１００に取り付けられ、第１接続部１２０ａの外周を覆う。
【００５１】
その後、一枚の金属板をプレス成形することにより作成されたシェル５００ｂ、リリースレバー５００ｅ、５００ｆ及びラッチ片５００ｇ、５００ｈを用意する。その後、シェル５００ｂをボディ１００の本体部１１０に上方から被せる。すると、シェル５００ｂの側壁板５２０ｂ、５３０ｂが本体部１１０の第１方向Ｘの両側面の前記上側部分に当接する。このとき、側壁板５２０ｂ、５３０ｂの係止孔５２１ｂ、５３１ｂに本体部１１０の係止凸部１１６ａ、１１６ｂが嵌まり込み、係止される。これ共に、シェル５００ｂのベース板５１０ｂが本体部１１０の上面に当接し、該ベース板５１０ｂの第１端部５１１ｂのスリット５１３ｂの前記右側部分がシェル５００ｃの第２接触板５３０ｃの第２板５３２ｃ上に載置され、接触する。これにより、シェル５００ｂ及びシェル５００ｃが電気的に接続される。このとき、シェル５００ｂのベース板５１０ｂの係止孔５１４ｂに本体部１１０の係止凸部１１７ｂが嵌合し、係止される。また、シェル５００ｂの第１端部５１１ｂのスリット５１３ｂの前記左側部分の位置決め穴５１５ｂが本体部１１０の位置決め穴１１８ｂに連通するように配置される。更に、ラッチ片５００ｇが第２接続部１２０ｂの第１方向Ｘの第１端部に間隙を有して対向配置され、ラッチ片５００ｈが第２接続部１２０ｂの第１方向Ｘの第２端部に間隙を有して対向配置される。
【００５２】
その後、一枚の金属板をプレス成形することにより作成されたシェル５００ａ、５００ｄを用意する。その後、シェル５００ｄのシェル本体５１０ｄにボディ１００の第２接続部１２０ｂを挿入し、シェル５００ｄの接触板５３０ｄの上板をシェル５００ｂの前記左側部分上に載置し、接触させる。これにより、シェル５００ｄ、５００ａがシェル５００ｄに電気的に接続される。このとき、接触板５３０ｄの上板の切欠き５３１ｄに、本体部１１０の係止凸部１１７ｂが嵌まり込んで係止され、接触板５３０ｄの上板の位置決め穴５３２ｄがシェル５００ｂの位置決め穴５１５ｂ及び本体部１１０の位置決め穴１１８ｂに連通するように配置される。また、シェル本体５１０ｄの第１方向Ｘの第１、第２端部が開放されているので、シェル本体５１０ｄに第２接続部１２０ｂが挿入される際に、該シェル本体５１０ｄが、第２接続部１２０ｂの第１方向Ｘの第１、第２端部側に配置されたラッチ片５００ｇ、５００ｈに干渉しない。このようにシェル５００ｄを第２接続部１２０ｂに取り付ける過程で、シェル５００ａのベース板５１０ａがボディ１００の本体部１１０の下面に当接し、シェル５００ａの側壁板５２０ａ、５３０ａが本体部１１０の第１方向Ｘの両側面の上記下端部に当接する。このとき、シェル５００ａのベース板５１０ａの第１端部５１１ａが第１接触板５２０ｃの第２板５２２ｃ上に載置され、接触する。これにより、シェル５００ａのベース板５１０ａ、側壁板５２０ａ、５３０ａとシェル５００ｂのベース板５１０ｂ、側壁板５２０ｂ、５３０ｂとが本体部１１０、基板３００及びケーブル４００の基板接続部分の外周を覆う。また、シェル５００ａの位置決め孔５１３ａが本体部１１０の位置決め穴１１９と連通する。シェル５００ａの係止孔５１４ａが本体部１１０の係止凸部１１９ｂに嵌合し、係止される。
【００５３】
その後、第１、第２樹脂ケース６００ａ、６００ｂを用意する。その後、第１樹脂ケース６００ａの前記収容空間にシェル５００ａ、５００ｂ、ボディ１００の本体部１１０、基板３００を収容させると共に、第１樹脂ケース６００ａの前壁部６２０ａの第１凹部６２１ａにシェル５００ｃのシェル本５１０ｃ及びボディ１００の第１接続部１２０ａを、前壁部６２０ａの第２凹部６２２ａにシェル５００ｄのシェル本５１０ｄ及びボディ１００の第２接続部１２０ｂを挿入する。これと共に、第１、第２ケーブル４００ａ、４００ｂに取り付けられたクランプ７００のフランジ７１０を第１樹脂ケース６００ａの固定部６５０ａのスリット６５１ａに嵌合させ、第１、第２ケーブル４００ａ、４００ｂが第１樹脂ケース６００ａの導出部６６０ａの凹部６６１ａ、６６２ａ挿入させる。このとき、第１樹脂ケース６００ａの位置決め凸部６１１ａがシールドケース５００のシェル５００ａの位置決め穴５１５ａに嵌合し、位置決め凸部６１２ａがシェル５００ａの位置決め孔５１３ａ及び本体部１１０の位置決め穴１１９に嵌合する。その後、第１樹脂ケース６００ａに第２樹脂ケース６００ｂを取り付ける。これにより、第１樹脂ケース６００ａの操作ボタン６３１ａ、６４１ａが第２樹脂ケース６００ｂの挿入凹部６３１ｂ、６４１ｂに挿入される。シェル５００ａ、５００ｂ、ボディ１００の本体部１１０、基板３００が第２樹脂ケース６００ｂの前記収容空間に収容されると共に、シェル５００ｃのシェル本５１０ｃ及びボディ１００の第１接続部１２０ａが第１樹脂ケース６００ａの前壁部６２０ａの第１凹部６２１ａに、シェル５００ｄのシェル本５１０ｄ及びボディ１００の第２接続部１２０ｂが前壁部６２０ａの第２凹部６２２ａに挿入される。また、クランプ７００のフランジ７１０が第２樹脂ケース６００ｂの固定部６５０ｂのスリット６５１ｂに嵌合される。第１、第２ケーブル４００ａ、４００ｂが第２樹脂ケース６００ｂの導出部６６０ｂの凹部６６１ｂ、６６２ｂ挿入される。また、第２樹脂ケース６００ｂの位置決め凸部６１１ｂがシェル５００ｂの位置決め孔５１６ｂに嵌合し、一対の位置決め凸部６１２ｂがシェル５００ｄの一対の位置決め穴５３２ｄ、シェル５００ｂの位置決め穴５１５ｂ及び本体部１１０の位置決め穴１１８ｂに嵌合する。このようにして第１、第２樹脂ケース６００ａ、６００ｂにより、シェル５００ａ、５００ｂ、ボディ１００の本体部１１０、基板３００及び第１、第２ケーブル４００ａ、４００ｂの基板接続部分が収容される。
【００５４】
以下、このように組み立てられたプラグＰをレセプタクルＲに接続する手順について説明する。まず、プラグＰの第１接続部１２０ａ及びシェル５００ｃシェル本体５１０ｃをレセプタクルＲの第１スロットαに、第２接続部１２０ｂ及びシェル５００ｄのシェル本体５１０ｄを第２スロットβに各々挿入する。すると、ラッチ片５００ｇ、５００ｈの爪部５２０ｇ、５２０ｈが第２スロットβの両内壁部に押圧され、該ラッチ片５００ｇ、５００ｈが初期位置から内側（すなわち、第２接続部１２０ｂの第１方向Ｘの第１、第２端部側）に変位する。これにより、リリースレバー５００ｅの第１端部５３１ｅ及び第１端部５１１ｅの折り曲げ部が弾性変形し、リリースレバー５００ｅのブリッジ５３０ｅ及びアーム部５２０ｅが初期位置から内側に変位する。これと共に、リリースレバーの折り返し部５１０ｆが弾性変形し、リリースレバー５００ｆのアーム部５２０ｆが初期位置から内側に変位する。その後、ラッチ片５００ｇ、５００ｈの爪部５２０ｇ、５２０ｈが第２スロットβの第１、第２係止穴に嵌まり込むと、リリースレバー５００ｅの第１端部５３１ｅ及び第１端部５１１ｅの折り曲げ部の弾性力により、ブリッジ５３０ｅ及びアーム部５２０ｅ及びラッチ片５００ｇが初期位置に復帰する。同様に、リリースレバーの折り返し部５１０ｆの弾性力により、アーム部５２０ｆ及びラッチ片５００ｈが初期位置に復帰する。これにより、爪部５２０ｇ、５２０ｈが第２スロットβの第１、第２係止穴に嵌まり込み、爪部５２０ｇ、５２０ｈが第２スロットβの第１、第２係止穴に係止された状態（フルラッチ状態）が維持される。
【００５５】
このとき、レセプタクルＲの第１接続凸部１０ａが第１接続部１２０ａの第１接続孔１２１ａに挿入され、レセプタクルＲのコンタクト２０ａがコンタクト２００ａの頂部に接触する。同様に、レセプタクルＲの第２接続凸部１０ｂが第２接続部１２０ｂの第２接続孔１２１ｂに挿入され、レセプタクルＲのコンタクト２０ｂがコンタクト２００ｂの頂部に接触する。これにより、プラグＰがレセプタクルＲに接続される。このとき、シェル５００ｃ、５００ｄのシェル本体５１０ｃ、５１０ｄがレセプタクルＲのシェル３０に接触し、該シェル３０を通じてレセプタクルＲが実装された基板のグランドラインに接続される。
【００５６】
以下、プラグＰをレセプタクルＲから取り外す手順について説明する。まず、プラグＰの操作ボタン６３１ａ、６４１ａを押下する。すると、操作ボタン６３１ａによりリリースレバー５００ｅのアーム部５２０ｅが、操作ボタン６４１ａによりリリースレバー５００ｆのアーム部５２０ｆが初期位置から内側に押下される。このとき、リリースレバー５００ｅの第１端部５３１ｅ及び第１端部５１１ｅの折り曲げ部が弾性変形し、リリースレバーの折り返し部５１０ｆが弾性変形する。これに伴い、ラッチ片５００ｇ、５００ｈが初期位置から内側に変位する。すると、爪部５２０ｇ、５２０ｈが第２スロットβの第１、第２係止穴から脱し、両者の係止が解除される。このため、プラグＰをレセプタクルＲから引き抜くことができる。
【００５７】
このようなプラグＰによる場合、シェル５００ａ及びシェル５００ｄが一枚の金属板で構成されており、シェル５００ｂ、リリースレバー５００ｅ、５００ｆ及びラッチ片５００ｇ、５００ｈが一枚の金属板で構成されているので、部品点数を低減することができ、その結果、プラグＰの組み立て工数を低減することができる。また、シェルの数が減ることにより、シェルのプレス工賃の低減を図ることもできる。よって、プラグＰの低コスト化を図ることができる。また、第４シェル５００ｄが第１シェル５００ａに一体化されているので、シェル５００ｄの接触板５３０ｄをシェル５００ｂの第１端部５１１ｂに、シェル５００ｃの第１接触板５２０ｃをシェル５００ａの第１端部５１１ａに、シェル５００ｃの第２接触板５３０ｃをシェル５００ｂの第１端部５１１ｂに接触させるだけで、シェル５００ａ〜５００ｄを電気接続することができる。よって、シェル間の電気接続の容易化を図ることができる。また、シェル５００ｃが第１接続部１２０ａを、シェル５００ｄが第１接続部１２０ｂを個別に覆っているため、プラグＰは、第１、第２スロットα、βが湾曲部３１により完全に区切られたレセプタクルＲに接続可能となっている。更に、シェル５００ｄがシェル５００ａに一体化されているため、シェルｄのこじり強度を向上させることができる。
【００５８】
また、ラッチ片５００ｇ、５００ｈが第２接続部１２０ｂの第１方向Ｘの第１、第２端部側に配置され、リリースレバー５００ｅがシェル５００ｂの側壁板５２０ｂの外側に間隙を有して配置され、リリースレバー５００ｆがシェル５００ｂの側壁板５３０ｂの外側に間隙を有して配置されており、且つ操作ボタン６３１ａ、６４１ａがリリースレバー５００ｅ、５００ｆの外側に配置されている。すなわち、プラグＰの第１方向Ｘ（幅方向）側に、ラッチ片５００ｇ、５００ｈ、操作ボタン６３１ａ、６４１ａがリリースレバー５００ｅ、５００ｆが設けられているので、ラッチ片、リリースレバー及び操作ボタンが第３方向Ｚ（すなわち、厚み方向）側に設けられたプラグに比べて、プラグＰの厚み寸法を低減することができる。また、レセプタクルが搭載された電子機器が台に設置された状態で、厚み方向に操作ボタンが設けられたプラグが前記レセプタクルに接続されると、該プラグの操作ボタンが台に当たるなどして外力が加わることがある。操作ボタンに外力が加わると、ラッチ片がスロットβの係止穴から不用意に外れる可能性がある。しかし、プラグＰは操作ボタン６３１ａ、６４１ａが幅方向に設けられているので、プラグＰが台に当たっても、ラッチ片５００ｇ、５００ｈの爪部５２０ｇ、５２０ｈが第２スロットβの第１、第２係止穴に不用意に外れることがない。また、プラグＰは、ＨＤＭＩのタイプＤ規格及びその他の規格に対応した２種の接続構造を備えているので、ＨＤＭＩのタイプＤ規格用の接続構造（第１接続部１２０ａやコンタクト２００ａ）により、映像信号等が入出力している場合であっても、その他の規格用接続構造によりＨＤＭＩのタイプＤ規格用の接続構造の電力供給を行うことができる。よって、ＨＤＭＩのタイプＤ規格用の接続構造の電力消費を気にすることがなく、映像信号等の入出力を行うことが可能になる。
【００５９】
なお、プラグＰは、上記実施の形態に限定されるものではなく、特許請求の範囲の記載の範囲において任意に設計変更することが可能である。以下、詳しく述べる。
【００６０】
上記実施の形態では、ボディ１００には、基板３００が取り付けられているとしたが、本体部と、この本体部に突設され、第１方向に隣接する第１、第２接続部とを有する限り任意に設計変更することが可能である。基板３００を省略する場合には、コンタクト２００ａ、２００ｂの後端部に第１、第２ケーブル４００ａ、４００ｂの信号線の芯線を直接半田付けすれば良い。また、上記実施の形態では、本体部１１０には、スリット１１１が設けられているとしたが、スリット１１１を省略することも可能である。この場合、ブリッジ５３０ｅの第２端部５３２ｅは、第１、第２接続部１２０ａ、１２０ｂの間に配置されていれば良い。
【００６１】
上記実施の形態では、シェル５００ａ、５００ｂは、ボディの本体部の外周を覆うことが可能な形状である限り、どのような形状に設計変更しても構わない。例えば、シェル５００ａ、５００ｂの何れか一方のみが、ボディの本体部の第１方向の両側を覆う側壁板を有する構成とすることができる。
【００６２】
また、上記実施の形態では、シェル５００ｄは、シェル本体５１０ｄの第１方向Ｘの第１、第２端部が開放されているとしたが、シェル本体５１０ｄの第１、第２端部で、第２接続部１２０ｂの第１方向Ｘの第１、第２端部を覆う構成とすることも可能である。また、シェル５００ｄの接触板５３０ｄは省略することが可能である。この場合、シェル５００ａ、５００ｂ同士を接触させる、又は、シェル５００ｃをシェル５００ａ、５００ｂに接触させるようにすれば良い。また、上記実施の形態では、シェル５００ｃは、第１、第２接触板５２０ｃ、５３０ｃを有し、シェル５００ａ、５００ｂに接触しているとしたが、シェル５００ａ、５００ｂの少なくとも一方に接触していれば良い。第１、第２接触板５２０ｃ、５３０ｃ及び接触板５３０ｄの形状は、接触対象に接触していればよく、任意に設計変更することが可能である。結合板５２０ｄの形状についても、シェル５００ｂに結合されていればよく、任意に設計変更することが可能である。
【００６３】
上記実施の形態では、シェル５００ｂ、リリースレバー５００ｅ、５００ｆ及びラッチ片５００ｇ、５００ｈが一枚の金属板で構成されているとしたが、これに限定されるものではない。リリースレバー５００ｅ、５００ｆ及びラッチ片５００ｇ、５００ｈをシェル５００ｂと別体とすることも可能であるし、リリースレバー５００ｅ、５００ｆ及びラッチ片５００ｇ、５００ｈをシェル５００ａに設けることも可能である。また、リリースレバー５００ｅ、５００ｆを省略し、ラッチ片５００ｇ、５００ｈのみをシェル５００ｂ又はシェル５００ａに一体的に設けることも可能である。勿論、リリースレバー５００ｅ、５００ｆを省略し、ラッチ片５００ｇ、５００ｈをシェル５００ａ、５００ｂと別体とすることも可能である。
【００６４】
上記実施の形態では、第１、第２係止片は、爪部５２０ｇ、５２０ｈを有するラッチ片５００ｇ、５００ｈであるとしたが、これに限定されるものではない。相手方コネクタに爪部が設けられている場合には、前記第１、第２係止片の先端部に前記爪部が係止可能な係止孔を設けることが可能である。また、上記実施の形態では、ラッチ片５００ｇ、５００ｈは、爪部５２０ｇ、５２０ｈがレセプタクルＲの第１、第２係止穴に嵌まり込み、フルラッチ状態で係止されるとしたが、ハーフラッチ状態で爪部が係止穴に係止される構成とすることも可能である。また、第１、第２係止片が不要である場合には省略することが可能である。
【００６５】
上記実施の形態では、リリースレバー５００ｅは、折り返し部５１０ｅと、アーム部５２０ｅと、ブリッジ５３０ｅとを有するとしたが、シェル５００ａ又は５００ｂと後述する第１係止片との間を繋いでおり、シェル５００ａ又は５００ｂの第１、第２側壁に間隙を有して配置され且つ該第１、第２側壁に向けて変位可能になっている限り任意に設計変更することが可能である。したがって、リリースレバー５００ｅを、シェル５００ｂ及びラッチ片５００ｇと、別体とし、シェル５００ｂ及びラッチ片５００ｇに取り付ける構成とすることも可能である。折り返し部５１０ｅは、シェル５００ｂのベース部５１０ｂの第２端部５１２ｂに連設されているとしたが、シェル５００ｂの側壁板５２０ｂの第２端部に連設された構成とすることも可能である。折り返し部５１０ｅをシェル５００ａに連設することも可能である。
【００６６】
また、上記実施の形態では、リリースレバー５００ｆは、折り返し部５１０ｆと、アーム部５２０ｆとを有するとしたが、シェル５００ａ又は５００ｂと後述する第２係止片との間を繋いでおり、シェル５００ａ又は５００ｂの第１、第２側壁に間隙を有して配置され且つ該第１、第２側壁に向けて変位可能になっている限り任意に設計変更することが可能である。したがって、リリースレバー５００ｆを、シェル５００ｂ及びラッチ片５００ｈと、別体とし、シェル５００ｂ及びラッチ片５００ｈに取り付ける構成とすることも可能である。また、折り返し部５１０ｆは、シェル５００ｂの側壁板５３０ｂの第２端部に連設されているとしたが、シェル５００ｂのベース部５１０ｂの第２端部５１２ｂに連設された構成とすることも可能である。折り返し部５１０ｆをシェル５００ａに連設することも可能である。
【００６７】
上記実施の形態では、プラグＰは、第１、第２ケーブル４００ａ、４００ｂを備えているとしたが、これに限定されるものではない。また、後述するように本発明をレセプタクルコネクタとする場合には、ケーブルは省略可能である。
【００６８】
上記実施の形態では、第１樹脂ケース６００ａは、操作ボタン６３１ａ、６４１ａを有しているとしたが、上述の如くリリースレバーが省略される場合には、操作ボタン６３１ａ、６４１ａを省略することができる。また、本発明をレセプタクルコネクタとする場合には、第１、第２樹脂ケース６００ａ、６００ｂは省略可能である。
【００６９】
なお、上記実施の形態では、プラグコネクタの各部を構成する素材、形状、寸法及び配置等はその一例を説明したものであって、同様の機能を実現し得る限り任意に設計変更することが可能である。本発明は、プラグコネクタだけでなく、レセプタクルコネクタにも適応することが可能である。また、本発明は、第１、第２スロットが完全に仕切られた相手方コネクタに接続可能であるとしたが、第１、第２スロットが完全に仕切られていない手方コネクタにも接続可能である。
【符号の説明】
【００７０】
Ｐ・・・・・・プラグ
１００・・・・ボディ
１１０・・・本体部
１１１・・スリット
１２０ａ・・第１接続部
１２０ｂ・・第２接続部
２００ａ・・・コンタクト
２００ｂ・・・コンタクト
３００・・・・基板
４００ａ・・・第１ケーブル
４００ｂ・・・第２ケーブル
５００・・・・シールドケース
５００ａ・・・シェル（第１シェル）
５１０ａ・・ベース板（ベース部）
５２０ａ・・側壁板（第１側壁）
５３０ａ・・側壁板（第２側壁）
５００ｂ・・・シェル（第２シェル）
５１０ｂ・・ベース板（ベース部）
５２０ｂ・・側壁板（第１側壁）
５３０ｂ・・側壁板（第２側壁）
５００ｃ・・・シェル（第３シェル）
５１０ｃ・・シェル本体
５２０ｃ・・第１接触板（接触部）
５３０ｃ・・第２接触板（接触部）
５００ｄ・・・シェル（第４シェル）
５１０ｄ・・シェル本体
５２０ｄ・・結合板（接合部）
５３０ｄ・・接触板（接触部）
５００ｅ・・・リリースレバー（第１リリースレバー）
５１０ｅ・・折り返し部
５２０ｅ・・アーム部
５３０ｅ・・ブリッジ
５００ｆ・・・リリースレバー（第２リリースレバー）
５１０ｆ・・折り返し部
５２０ｆ・・アーム部
５００ｇ・・・ラッチ片（第１係止片）
５００ｈ・・・ラッチ片（第２係止片）
６００ａ・・・第１樹脂ケース（第１ケース）
６３１ａ・・操作ボタン（第１操作ボタン）
６４１ａ・・操作ボタン（第２操作ボタン）
６００ｂ・・・第２樹脂ケース（第２ケース）
Ｘ・・・・・・第１方向
Ｙ・・・・・・第２方向
Ｚ・・・・・・第３方向
【図１】
2011233326.tif 000003
【図２】
2011233326.tif 000004
【図３】
2011233326.tif 000005
【図４】
2011233326.tif 000006
【図５】
2011233326.tif 000007
【図６】
2011233326.tif 000008
【図７】
2011233326.tif 000009
【図８】
2011233326.tif 000010
【図９】
2011233326.tif 000011